(57)【要約】      （修正有）【課題】ペットに配置された線状の首輪に対して着脱作業が容易であるとともに取り付けた状態で外れにくい名札を提供する。【解決手段】ペットの個体識別情報を有する識別部１６を備えた面状の名札本体１５を設ける。名札本体１５の識別部１６を挟んだ両側に、互いに係脱可能に連結する対をなす連結部１７，１８を設ける。ペットに配置した線状の首輪に対して名札本体１５を巻き付けて対をなす連結部１７，１８を互いに係脱させるだけで着脱できるので、首輪に対して着脱作業が容易である。取り付けた状態では名札本体１５が首輪に巻き付いているので対をなす連結部１７，１８に名札本体１５の荷重などが加わらず、首輪に対して外れにくくなる。【選択図】図１
0003167679.tif 000002
【実用新案登録請求の範囲】
【請求項１】
生物に配置された線状の被取付物に取り付けられる名札であって、
少なくとも前記生物の個体識別情報を有する識別部を備えた面状の名札本体と、
この名札本体の前記識別部を挟んだ両側に位置し、互いに係脱可能に連結される対をなす連結部と
を具備したことを特徴とした名札。
【請求項２】
名札本体の一方の連結部の背面側に位置し、少なくとも生物の個体識別情報を有することを表示する表示部を具備した
ことを特徴とした請求項１記載の名札。
【請求項３】
表示部は、他方の連結部側を上側として表示する
ことを特徴とした請求項２記載の名札。
【請求項４】
一方の連結部は、名札本体の一主面側に位置し、
他方の連結部は、前記名札本体の他主面側に位置し、
前記一方及び他方の連結部は、前記名札本体を被取付物に巻き付けた状態で互いに連結可能である
ことを特徴とした請求項１ないし３いずれか一記載の名札。
【請求項５】
識別部は、名札本体の一主面側に位置している
ことを特徴とした請求項４記載の名札。
【請求項６】
識別部は、生物の個体識別情報を有し、名札本体と別体で、この名札本体に対して固着される識別体を有している
ことを特徴とした請求項１ないし５いずれか一記載の名札。
【請求項７】
生物としての愛玩動物に取り付けられた被取付物としての首輪、胴輪、頭絡のいずれかに取り付けられる名札である
ことを特徴とした請求項１ないし６いずれか一記載の名札。
【考案の詳細な説明】
【技術分野】
【０００１】
本考案は、生物に配置された線状の被取付物に取り付けられる名札に関する。
【背景技術】
【０００２】
従来、例えばペットなどの生物のいわゆる迷子札として用いられる名札は、一般に、ペットの名前及び飼い主の電話番号などの識別情報を記載した名札本体と、この名札本体に設けられたリング状の接続体とを有している。そして、この名札は、接続体を用いて、首輪、あるいはハーネスなどを含む胴輪などの被取付物に吊り下げて取り付ける(例えば、特許文献１参照。)。
【先行技術文献】
【特許文献】
【０００３】
【特許文献１】特開２００３−１４３９９８号公報(第２−３頁、図１−２)
【考案の概要】
【考案が解決しようとする課題】
【０００４】
しかしながら、上記のような名札は、接続体に名札本体の全荷重が加わることにより、特にペットが運動している際などの衝撃などにより接続体が破損しやすく、紛失しやすいという問題点を有している。
【０００５】
本考案は、このような点に鑑みなされたもので、生物に配置された線状の被取付物に対して着脱作業が容易であるとともに取り付けた状態で外れにくい名札を提供することを目的とする。
【課題を解決するための手段】
【０００６】
請求項１記載の名札は、生物に配置された線状の被取付物に取り付けられる名札であって、少なくとも前記生物の個体識別情報を有する識別部を備えた面状の名札本体と、この名札本体の前記識別部を挟んだ両側に位置し、互いに係脱可能に連結される対をなす連結部とを具備したものである。
【０００７】
請求項２記載の名札は、請求項１記載の名札において、名札本体の一方の連結部の背面側に位置し、少なくとも生物の個体識別情報を有することを表示する表示部を具備したものである。
【０００８】
請求項３記載の名札は、請求項２記載の名札において、表示部は、他方の連結部側を上側として表示するものである。
【０００９】
請求項４記載の名札は、請求項１ないし３いずれか一記載の名札において、一方の連結部は、名札本体の一主面側に位置し、他方の連結部は、前記名札本体の他主面側に位置し、前記一方及び他方の連結部は、前記名札本体を被取付物に巻き付けた状態で互いに連結可能であるものである。
【００１０】
請求項５記載の名札は、請求項４記載の名札において、識別部は、名札本体の一主面側に位置しているものである。
【００１１】
請求項６記載の名札は、請求項１ないし５いずれか一記載の名札において、識別部は、生物の個体識別情報を有し、名札本体と別体で、この名札本体に対して固着される識別体を有しているものである。
【００１２】
請求項７記載の名札は、請求項１ないし６いずれか一記載の名札において、生物としての愛玩動物に取り付けられた被取付物としての首輪、胴輪、頭絡のいずれかに取り付けられる名札であるものである。
【考案の効果】
【００１３】
請求項１記載の名札によれば、面状の名札本体の識別部を挟んだ両側に、互いに係脱可能に連結される対をなす連結部を設けることにより、生物に配置された線状の被取付物に対して名札本体を巻き付けて対をなす連結部を互いに係脱させるだけで着脱できるので、被取付物に対して着脱作業が容易であるとともに、取り付けた状態では名札本体が被取付物に巻き付けられるので対をなす連結部に名札本体の荷重などが加わらず、被取付物に対して外れにくくなる。
【００１４】
請求項２記載の名札によれば、請求項１記載の名札の効果に加えて、名札本体の一方の連結部の背面側に、少なくとも個体識別情報を有することを表示する表示部を配置することにより、この表示部が外部に位置するように被取付物に対して取り付けることで、個体識別情報を有することを第三者に対してより確実に報知でき、生物の個体識別性が向上する。
【００１５】
請求項３記載の名札によれば、請求項２記載の名札の効果に加えて、表示部が他方の連結部側を上側として表示することにより、表示部の表示が正規の状態となるように被取付物に対して取り付けると、対をなす連結部が少なくとも上方に露出しないため、これら対をなす連結部に異物が入り込みにくくなり、被取付物に対してより外れにくくなる。
【００１６】
請求項４記載の名札によれば、請求項１ないし３いずれか一記載の名札の効果に加えて、一方の連結部を名札本体の一主面側に配置し、他方の連結部を名札本体の他主面側に配置して、これら一方及び他方の連結部を、名札本体を被取付物に巻き付けた状態で互いに連結可能とすることにより、一方の連結部と他方の連結部とを線状の被取付物と重なる位置で連結することが可能になるので、これら一方及び他方の連結部が被取付物の外方に突出しにくくなり、これら一方及び他方の連結部が生物の邪魔になりにくい。
【００１７】
請求項５記載の名札によれば、請求項４記載の名札の効果に加えて、識別部を一方の連結部と同様に名札本体の一主面側に配置することにより、名札本体の他主面側を外側として一方の連結部と他方の連結部とを連結して線状の被取付物に取り付けたときに、名札本体の一主面側に位置する識別部が名札本体の内側となるため、被取付物に取り付けた状態では識別部の個体識別情報を外部から目視できなくなり、例えば個人情報などを含む個体識別情報が不用意に第三者に漏れることを防止できる。
【００１８】
請求項６記載の名札によれば、請求項１ないし５いずれか一記載の名札の効果に加えて、名札本体と別体の識別体を名札本体に固着することにより、名札本体と識別体とのそれぞれの目的に適した素材を適宜選択でき、使い勝手がより向上する。
【００１９】
請求項７記載の名札によれば、請求項１ないし６いずれか一記載の名札の効果に加えて、愛玩動物に取り付けられた首輪、胴輪、あるいは頭絡のいずれかに取り付けられることにより、名札を例えば愛玩動物の迷子札として用いることができる。
【図面の簡単な説明】
【００２０】
【図１】本考案の第１の実施の形態の名札を示し、(a)は外部から見た平面図、(b)は内部から見た平面図である。
【図２】同上名札を被取付物に取り付けた状態を示す斜視図である。
【図３】同上名札を被取付物に取り付ける作業の一部を示す斜視図である。
【図４】同上名札を被取付物に取り付けた状態を模式的に示す断面図である。
【図５】本考案の第２の実施の形態の名札を内部から示す平面図である。
【考案を実施するための形態】
【００２１】
以下、本考案の第１の実施の形態の構成を図１ないし図４を参照して説明する。
【００２２】
図１(a)及び図１(b)において、11は名札であり、この名札11は、生物としての例えば猫、あるいは犬などの愛玩動物であるペット12に対して配置された被取付物としての首輪13に対して取り付けられる、いわゆる迷子札である。
【００２３】
首輪13は、所定の幅寸法を有する線状(帯状)に形成されており、両端部を円環状に接続した状態でペット12の首の周囲に配置されている。
【００２４】
そして、名札11は、例えば長尺帯状(バンド状)の名札本体15を備え、この名札本体15の長手方向の中央部に識別部16が設けられているとともに、この識別部16を挟む両側でかつ名札本体15の長手方向の両端部に対をなす連結部である一方及び他方の連結部17，18が設けられ、かつ、一方の連結部17の背面側に表示部19が設けられている。
【００２５】
名札本体15は、例えば布、合成皮革、あるいはビニールなどの、ある程度の剛性を有しつつ軟質の任意の各種素材、好ましくは縫製が不要で、軽量な素材により形成されている。また、この名札本体15の両端部には、一主面15a(内面)側へとそれぞれ折り返された補強用の一方及び他方の折り返し部21，22が形成されている。なお、これら一方及び他方の折り返し部21，22は、名札本体15の強度に応じて形成されるものであり、必須の構成ではない。
【００２６】
また、識別部16は、名札本体15の一主面15aの長手方向の中央部を構成するものであり、ペット12の個体識別情報、例えば名前Ｎ、及び飼い主などの電話番号PNなどが記載される。なお、この識別部16は、本実施の形態では、名札本体15にペンなどを用いて直接書き込んで構成されている。したがって、名札本体15の素材は、記載した文字などが滲みにくくするものとすることが好ましい。
【００２７】
また、一方及び他方の連結部17，18は、いわゆるスナップボタンである。本実施の形態では、例えば一方の連結部17が雌スナップ、他方の連結部18が雄スナップとなっているが、一方の連結部17が雄スナップ、他方の連結部18が雌スナップでもよい。
【００２８】
一方の連結部17は、例えば金属などにより形成されており、円環状の一方の連結部本体17aと、この一方の連結部本体17aの中央部に設けられた円筒状の凹部17bとを備え、名札本体15の長手方向の一端部の一主面15a側(一方の折り返し部21)に取り付けられている。凹部17bは、先端側が周方向に複数片に分割され、径方向にそれぞれ弾性的に変形可能であるとともに、分割された複数片のそれぞれの内縁部に微細な爪状の係合部17cが突出して設けられている。
【００２９】
また、他方の連結部18は、例えば金属などにより形成されており、円形状の他方の連結部本体18aと、この他方の連結部本体18aの中央部に一体に設けられた凸部18bとを備え、名札本体15の長手方向の他端部の他主面15b(外面)側に取り付けられている。凸部18bの周囲には、全周に亘って微細な係合凹部18cが設けられており、凹部17bに挿入された凸部18bの係合凹部18cが凹部17bの係合部17cと係合されることにより一方及び他方の連結部17，18が互いに係脱可能に連結される。したがって、一方及び他方の連結部17，18は、凹部17bの内径寸法及び凸部18bの外径寸法、係合部17cの突出寸法及び係合凹部18cの深さ寸法、あるいは凹部17bの変形のしやすさなどを適宜設定することにより互いの係合強さを任意に設定できる。本実施の形態では、一方及び他方の連結部17，18の係脱作業が容易であるとともに、互いに係合させた状態では容易に外れない係合強さとすることが好ましい。そして、この他方の連結部18の他方の連結部本体18aは、名札本体15の長手方向の他端部近傍を、他方の折り返し部22とともに固定体24との間で挟み込んでいる。すなわち、他方の連結部18と固定体24とは、互いに名札本体15を介して嵌合することにより名札本体15に対して固定されている。
【００３０】
ここで、固定体24は、例えば金属などにより円環状に形成された座金であり、名札本体15の一主面15a側にて他方の折り返し部22に取り付けられている。
【００３１】
また、表示部19は、例えば金属などにより円形状に形成されており、一方の連結部17に対応する位置、すなわち名札本体15の長手方向の一端部近傍において名札本体15の他主面15b側に取り付けられ、名札本体15の長手方向の一端部近傍を、一方の折り返し部21とともに一方の連結部17の一方の連結部本体17aとの間で挟み込んでいる。すなわち、この表示部19と一方の連結部17とは、互いに名札本体15を介して嵌合することにより名札本体15に対して固定されている。さらに、表示部19の表面19aには、興趣性を向上するための図案などの意匠Ｄが表示されているとともに、この意匠Ｄの内部に、例えば「ＮＡＭＥ」などの文字Ｃが配置されて、名札11がペット12の名前Ｎなどの個体識別情報を有していることを表示している。これら表示部19の意匠Ｄ及び文字Ｃは、他方の連結部18を上側として形成されている。
【００３２】
そして、この名札11を取り付ける際には、図３の実線に示すように、ペット12と首輪13との間に名札本体15の識別部16を通し、図３の想像線に示すように、名札本体15の他端側(図中の下端側)を首輪13に重ねるように、換言すれば固定体24を首輪13に接近させるように上方へと折り返した後、前方に露出した他主面15b側の他方の連結部18に対して、名札本体15の一端側(図中の上端側)を首輪13側へと下方に折り返して一方の連結部17を係合させる(図４)。この係合の際には、一方の連結部17を他方の連結部18へと押圧することにより、一方の連結部17の凹部17bに対して他方の連結部18の凸部18bが挿入され、この凸部18bがさらに挿入されることにより凹部17bを径方向に弾性的に押し開き、係合凹部18cに係合部17cが係合する位置で凹部17bが復帰変形することで、一方及び他方の連結部17，18が互いに係止固定される。
【００３３】
この結果、識別部16が内部で首輪13に対向し、表示部19の表面19aが外部(ペット12の前方)へと露出するように名札11が首輪13に巻き付けられた状態で取り付けられる。この状態で、名札本体15の長手方向の他端部は、名札本体15の長手方向の一端部の背面側と首輪13との間に位置しており、名札11の最前部に位置する名札本体15の長手方向の一端15cは、先端側が下方に向けて位置している(図２)。
【００３４】
そして、例えばペット12が迷いペットとなった際に、このペット12を保護した第三者が名札11に気付いた場合には、この名札11を首輪13から取り外して内部の識別部16の個体識別情報を見ることにより、例えば飼い主に連絡することができる。なお、名札11を取り外す際には、例えば名札本体15の表示部19の下端付近の端部(一端15c)を上方へと引っ張るなどして一方及び他方の連結部17，18の係合を解除した後、名札本体15をペット12と首輪13との間から引き抜くなど、上記取り付け作業と逆順で作業をすればよい。
【００３５】
このように、上記第１の実施の形態によれば、面状の名札本体15の識別部16を挟む両側に、互いに係脱可能に連結される対をなす連結部17，18を設けることにより、ペット12に配置された線状の首輪13に対して名札本体15を巻き付けて対をなす連結部17，18を互いに係脱させるだけで着脱できるので、首輪13に対して着脱作業が容易であるとともに、取り付けた状態では名札本体15が首輪13に巻き付けられるので、例えば首輪13に対して吊り下げる(ぶら下げる)名札などのように、対をなす連結部17，18に名札本体15の荷重などが加わることがなく、首輪13に対して外れにくくなる。しかも、名札11は、複雑な構成が不要であり、構成を簡素化でき、製造コストを抑制できる。
【００３６】
また、名札本体15の一方の連結部17の背面側に、名札11が個体識別情報を有することを表示する表示部19を配置することにより、この表示部19が外部に位置するように首輪13に対して取り付けることで、名札11が個体識別情報を有することを第三者に対してより確実に報知でき、ペット12の個体識別性が向上する。
【００３７】
さらに、表示部19が他方の連結部18側を上側として表示することにより、表示部19の表示に上下の方向性が生じ、作業者が表示部19により設定される上下方向に適合するように名札11を首輪13に取り付けるよう促すことができる。そして、表示部19の表示が正規の状態となるように名札11を首輪13に対して取り付けると、対をなす連結部17，18が少なくとも上方に露出しないため、これら対をなす連結部17，18に水、あるいは塵埃(ごみ)などの異物が入り込みにくくなり、首輪13に対して名札11がより外れにくくなる。特に、ペット12に取り付けた状態で左右方向に沿って長手状となる首輪13の場合、表示部19の表示が正規の状態となるように名札11を首輪13に対して取り付けると、対をなす連結部17，18が下方に向けて露出するため、上方から異物が入り込みにくいだけでなく、ペット12が例えばグルーミングなどの際に対をなす連結部17，18を誤って引っ掻くなどして外してしまうことも抑制できる。
【００３８】
そして、一方の連結部17を名札本体15の一主面15a側に配置し、他方の連結部18を名札本体15の他主面15b側に配置して、これら一方及び他方の連結部17，18を、名札本体15を首輪13に巻き付けた状態で互いに連結可能とすることにより、一方の連結部17と他方の連結部18とを線状の首輪13と重なる位置で連結することが可能になるので、例えば名札本体を二つ折りにして両端部を互いに連結する場合などと比較して、これら一方及び他方の連結部17，18が首輪13の上方、あるいは下方などの外方に突出しにくくなり、これら一方及び他方の連結部17，18がペット12の邪魔になりにくい。
【００３９】
また、識別部16を一方の連結部17と同様に名札本体15の一主面15a側に配置することにより、名札本体15の他主面15b側を外側として一方の連結部17と他方の連結部18とを連結して線状の首輪13に取り付けたときに、名札本体15の一主面15a側に位置する識別部16が名札本体15の内側となる。このため、首輪13に取り付けた状態では識別部16の個体識別情報を外部から目視できなくなり、例えば個人情報などを含む個体識別情報が不用意に第三者に漏れることを防止できる。さらに、一方の連結部17の背面側、すなわち他主面15b側に位置する表示部19は、名札本体15の他主面15bを外側として取り付けることで名札本体15の外側に露出するため、表示部19を確実に外部から目視できる状態とすることができる。
【００４０】
そして、対をなす連結部17，18を、いずれか一方(他方の連結部18)が他方(一方の連結部18)に対して係脱可能に挿入されるスナップボタンとすることにより、対をなす連結部17，18の係合強さを製造段階で任意に調整可能となり、所望の係合強さを得ることができる。この結果、着脱の作業性が良好で、かつ、互いに係合した状態では外れにくい連結部17，18を容易に得ることができる。
【００４１】
また、名札本体15の対をなす連結部17，18が位置する長手方向の両端部は、一方及び他方の折り返し部21，22によって補強しているので、対をなす連結部17，18を繰り返し係脱した場合でも名札本体15の破損を抑制できる。
【００４２】
さらに、名札11は、ペット12に取り付けられた首輪13に取り付けられることにより、ペット12の迷子札として用いることができる。
【００４３】
次に、第２の実施の形態を図５を参照して説明する。なお、上記第１の実施の形態と同様の構成及び作用については、同一符号を付してその説明を省略する。
【００４４】
この第２の実施の形態は、上記第１の実施の形態の識別部16が、名札本体15と別体の識別体26を有するものである。
【００４５】
この識別体26は、ペンなどを用いて個体識別情報、例えば名前Ｎ、及び飼い主の電話番号PNなどが書き込まれており、例えば接着剤、あるいは熱などにより名札本体15に固着された識別部16を名札本体15の一方及び他方の連結部17，18間に構成している。
【００４６】
そして、この識別体26を名札本体15に対して予め固着した後、上記第１の実施の形態と同様に首輪13に対して名札11を取り付ける。
【００４７】
このように、上記第２の実施の形態によれば、名札本体15と別体の識別体26を名札本体15に固着して識別部16を構成することにより、例えば名札本体15としては充分な強度を有する素材を用い、識別体26としては名前Ｎなどの個体識別情報を記載しやすい素材を用いるなど、名札本体15と識別体26とのそれぞれの目的に適した素材を適宜選択でき、使い勝手がより向上する。
【００４８】
なお、上記各実施の形態において、一方及び他方の連結部17，18は、係脱作業が容易であり、かつ、係合状態で外れにくいものであれば、名札本体15の素材に応じて、例えば面ファスナ(マジックテープ(登録商標))、あるいは一般的なボタンなどとしてもよい。
【００４９】
また、表示部19の形状は、円形に限定されるものではなく、任意に設定できる。さらに、表示部19に表示する文字Ｃ及び意匠Ｄは、名札11を見た際に、この名札11にペット12の名前Ｎなどの個体識別情報があることを認識できるものであれば、任意に設定できる。
【００５０】
そして、識別部16(識別体26)に記載する個体識別情報は、名前Ｎや文字、数字などに限らず、例えばバーコードや二次元コードなどでもよい。
【００５１】
また、名札11は、猫、あるいは犬などのペット12に対してだけでなく、例えば飼育されている任意の動物あるいは家畜などに用いることも可能であり、例えば幼児、あるいは認知症患者などのヒトに対して用いることも可能である。
【００５２】
さらに、被取付物としては、首輪13に限らず、例えばハーネスを含む胴輪あるいは牛や馬などの頭部に取り付ける頭絡(勒)など、任意の線状のものを選択できる。
【符号の説明】
【００５３】
11    名札
12    生物としての愛玩動物であるペット
13    被取付物としての首輪
15    名札本体
16    識別部
17    連結部である一方の連結部
18    連結部である他方の連結部
19    表示部
26    識別体
【図１】
0003167679.tif 000003
【図２】
0003167679.tif 000004
【図３】
0003167679.tif 000005
【図４】
0003167679.tif 000006
【図５】
0003167679.tif 000007